(57)【要約】  【課題】  コ状形の枠体の採用により６台以上の掘削ロッドをベースフレームにより一括保持して多連式地盤改良装置を構成する。  【解決手段】  掘削ロッドとロッド上部の駆動装置とを有し、ロッド先端の掘削部に攪拌翼を有する１台の地盤改良装置を、当接板の両端に側板を並設したコ状形の枠体に駆動装置を側板間に収容して固定する。その枠体をもって６台以上の地盤改良装置をベースフレームに横２列又は１列に一括保持する。【選択図】  図２
2007023612.tif 000002
【特許請求の範囲】
【請求項１】
掘削ロッドとロッド上部の駆動装置とを有し、ロッド先端の掘削部に攪拌翼を有する１台の地盤改良装置を、当接板の両端に側板を並設したコ状形の枠体に、上記駆動装置を側板間に収容して固定し、その地盤改良装置の２台を、作業櫓に吊り設けるベースフレームの同一面に直角に固設した複数の保持フレームの側面に、上記枠体により横並び取付けて、６台以上の地盤改良装置をベースフレームに横２列に一括保持してなることを特徴とする多連式地盤改良装置。
【請求項２】
掘削ロッドとロッド上部の駆動装置とを有し、ロッド先端の掘削部に攪拌翼を有する１台の地盤改良装置を、当接板の両端に側板を並設したコ状形の枠体に、上記駆動装置を側板間に収容して固定し、その地盤改良装置の６台以上を、作業櫓に吊り設けるベースフレームの同一面に、各枠体を直接取付けて横１列に一括保持してなることを特徴とする多連式地盤改良装置。
【発明の詳細な説明】
【技術分野】
【０００１】
この発明は、少なくとも６個以上の地盤改良装置を一括保持した多連式地盤改良装置に関するものである。
【背景技術】
【０００２】
軟弱地盤の改良工事における省力化や工期の短縮を目的として、複数台の地盤改良装置を同時作動し、掘削孔を一括掘削することが行われている。
多連式地盤改良装置としては、攪拌軸の駆動装置を互に接続して３連とし、その駆動装置をタワーに一括して吊設し、３連の掘削孔を一括掘削する装置。駆動装置を内装した掘削ヘッドに５軸の掘削ロッドを横１列に並設して多軸掘削機とし、これをケリーバーの下部に設けた装置。上部に駆動装置を有する４台の掘削ロッドを保持フレームとコ状形の枠体とにより２列に配置してフレームに組付けた装置等が知られている。
【特許文献１】実開昭６３−４５８４２号公報
【特許文献２】特開平１０−２１９７３４号公報
【特許文献３】特許第３４５８９５２号公報
【発明の開示】
【発明が解決しようとする課題】
【０００３】
これまでの多連式地盤改良装置における掘削ロッドは５連程度で、６連以上のものは開発されていない。しかし、地盤改良工事のさらなる省力化や工期の短縮から、６連以上の多連式地盤改良装置の開発が望まれている。したがって、この発明の目的は、少なくとも６台以上の掘削ロッドをコ状形の枠体を採用してベースフレームにより一括保持することができる新たな多連式地盤改良装置を提供することにある。
【課題を解決するための手段】
【０００４】
上記目的によるこの発明は、掘削ロッドとロッド上部の駆動装置とを有し、ロッド先端の掘削部に攪拌翼を有する１台の地盤改良装置を、当接板の両端に側板を並設したコ状形の枠体に、上記駆動装置を側板間に収容して固定し、その地盤改良装置の２台を、作業櫓に吊り設けるベースフレームの同一面に直角に固設した複数の保持フレームの側面に、上記枠体により横並び取付けて、６台以上の地盤改良装置をベースフレームに横２列に一括保持してなる、というものである。
【０００５】
またこの発明は、掘削ロッドとロッド上部の駆動装置とを有し、ロッド先端の掘削部に攪拌翼を有する１台の地盤改良装置を、当接板の両端に側板を並設したコ状形の枠体に、上記駆動装置を側板間に収容して固定し、その地盤改良装置の６台以上を、作業櫓に吊り設けるベースフレームの同一面に、各枠体により直接取付けて横１列に一括保持してなる、というものである。
【発明を実施するための最良の形態】
【０００６】
図中１は通常構造の地盤改良装置で、掘削ロッド１１と上部の駆動装置１２とからなる。ロッド先端の掘削部１３には攪拌翼１４が多段に側方に突出して設けてあり、この攪拌翼１４によって掘削孔の大きさが決まり、また掘削土と掘削ロッド１１内を通って掘削部１３から吐出した地盤改良剤とが攪拌混練されて、地盤の改良が行われる。
【０００７】
２は多数台の地盤改良装置１，１を保持する鋼板製のベースフレームで、図では省略するが板面に多数の取付孔が一定間隔ごとに全面にわたり穿設してある。また背面の上下両側には支持部材２１が取付けてあり、その支持部材２１を図１に示すように、クローラー３の作業櫓３１の側面に縦設した一対のガイド部材３２に嵌挿し、また上部に設けた滑車２２を作業櫓３１の頂部から吊り下ろした操作索３３に掛け止めて、上下動自在に吊り設けられている。
【０００８】
４は地盤改良装置１の鋼板製の枠体で、図２及び図３に示すように、当接板４１の下部両端に側板４２，４２を並設したコ状形からなり、当接板４１の上下部には多数の取付用のボルト孔が一定の間隔を空けて穿設してある。また側板４２，４２にも多数のボルト孔が縦横に穿設してあり、その側板間にモータ１２ａと変速ボックス１２ｂを備えた上記駆動装置１２を収容し、ボルトにより両側板を装置下部の変速ボックス１２ｂに縫着して、地盤改良装置１の上部に取付けてある。
【０００９】
図２及び図３は、８台の地盤改良装置１を上記枠体４により、個々に上記ベースフレーム２に横２列に取付けて一括保持した実施形態を示すものである。この一括保持には４台以上の地盤改良装置１の荷重に耐える鋼板の保持フレーム５が用いられる。保持フレーム５は一対の枠体４を並行に取付け得る板面を有し、その板面には枠体４の当接板４１に穿設したボルト孔と位置を同じくする多数のボルト孔が穿設してある。
【００１０】
この保持フレーム５の２枚を、ベースフレーム２の同一面の中央に直角に固設した同一高さの支持フレーム２３の両側に、上記駆動装置１２の設置スペースを確保できる間隔を空けて直角に固設し、その保持フレーム５，５の両側面に、２台の地盤改良装置１，１の各枠体４，４を並行に取付けている。この取付けはフレーム側面に当接板４１をボルトにより縫着することで容易に行いうる。これによりベースフレーム２に８台の地盤改良装置１，１が横２列に並設されて一括保持される。場合によっては、保持フレーム５への取付けを先行し、その後に保持フレーム５をベースフレーム２に固設することもできる。
【００１１】
ベースフレーム２に保持フレーム５を固設した状態において、保持フレーム５には支持フレーム２３の位置を中央とするを梁材２４が架設され、その梁材２４の中央に上記滑車２２を取付けて、ベースフレーム２を８台の地盤改良装置１，１と共に上記操作索３３により作業櫓３１に吊り設けることができるようにしてある。このような８連の地盤改良装置では、１回の工程で８つの掘削孔を同時に掘削することが可能となる。また必要に応じて保持フレーム５，５の間隔を大きく設定し、これにより４台を一組として、その二組を離してベースフレーム２に一括保持させることもできる。
【００１２】
図４は、６台の地盤改良装置１を、上記ベースフレーム２の同一面に横２列に取付けて一括保持した実施形態を示すものである。この一括保持では３枚の保持フレーム５ａ，５ｂ，５ｃを用い、各保持フレーム５の片側面に２台の地盤改良装置１，１を各枠体４，４により並行に取付けて三組とし、そのうちの二組の保持フレーム５ｂ，５ｃを背合わせにベースフレーム２に直角に固設し、他の一組の保持フレーム５ａは地盤改良装置１を外向きにして、保持フレーム５ａをベースフレーム２に直角に固設している。場合によっては、二組の保持フレーム５ｂ，５ｃを１枚とし、その両側面に図２に示すように地盤改良装置１を２台ずつ取付けて同様に構成することもできる。
【００１３】
これにより６台の地盤改良装置１が等間隔でベースフレーム２に横２列に一括保持される。このような構成でも、保持フレーム５ａ，５ｂ，５ｃに梁材２４を架設し、その梁材２４の中央に上記滑車２２を取付けて、ベースフレーム２を６台の地盤改良装置１，１と共に上記操作索３３により作業櫓３１に吊り設けることができる。
【００１４】
図５〜図７は、６台〜８台の地盤改良装置１を  ベースフレーム２に横１列に取付けて一括保持した実施形態を示すものである。この場合には枠体４の当接板４２を、ベースフレーム２の同一面にボルトにより直接取付けて等間隔に並設するだけで構成するとができる。また上記梁材２４を架設する支持フレーム２３を、偶数台ではベースフレーム２の中央とその両側の枠体間に直角に固設する。奇数台でベースフレーム２の中央に地盤改良装置１が位置するので、両側の枠体間にのみ固設し、その支持フレーム２３，２３にわたり架設した梁材２４の中央に上記滑車２２を取付けて、上記操作索３３により作業櫓３１に吊り設けることができるようにしている。
【００１５】
上記実施形態のいずれにおいても、一括保持された地盤改良装置１の相互の間隔は、その取付け位置を変えることにより容易に行うことができる。これにより各地盤改良装置１，１のロッド先端の上記掘削部１３，１３の攪拌翼１４，１４を互いに離隔したり、また接円或いはオーバーラップさせるなどして、地盤に平面形態が異なる６〜８つの掘削孔を一括掘削することができる。この結果、作業効率が従来よりも向上し、工事の短縮化及び省力化をさらに図ることができ、地盤改良工事に要するコストを低減することが可能となる。
【図面の簡単な説明】
【００１６】
【図１】この発明が対象とする多連式地盤改良装置の全体の側面図である。
【図２】この発明の８台の地盤改良装置を横２列に並設して一括保持した多連式地盤改良装置の平面図である。
【図３】同上の正面図である。
【図４】この発明の６台の地盤改良装置を横２列に並設して一括保持した多連式地盤改良装置の平面図である。
【図５】この発明の６台の地盤改良装置を横１列に並設して一括保持した多連式地盤改良装置の平面図である。
【図６】この発明の７台の地盤改良装置を横１列に並設して一括保持した多連式地盤改良装置の平面図である。
【図７】この発明の８台の地盤改良装置を横１列に並設して一括保持した多連式地盤改良装置の平面図である。
【符号の説明】
【００１７】
１    地盤改良装置
２    ベースフレーム
４    枠体
５    保持フレーム
１１    掘削ロッド
１２    駆動装置
２１    支持部材
２２    滑車
２３    支持フレーム
２４    梁材
４１    当接板
４２    側板
【図１】
2007023612.tif 000003
【図２】
2007023612.tif 000004
【図３】
2007023612.tif 000005
【図４】
2007023612.tif 000006
【図５】
2007023612.tif 000007
【図６】
2007023612.tif 000008
【図７】
2007023612.tif 000009